(57)【要約】【課題】製造が容易であり、製造コストが安く、装置が振動しても異音が発生することのないディスク装置のディスク挿入口を閉じる蓋の取付構造を提供する。【解決手段】蓋４の背面に軸４ｃを複数個立設し、パネル１の背後に配置されるプリント基板２の前面に設置されるメンブレンシート３に穴付ボス３ａを前記軸４ｃの位置と対応して設け、前記蓋４の軸４ｃを前記穴付ボス３ａの穴３ｂに押し込む。【選択図】図２
2009088075.tif 000002
【特許請求の範囲】
【請求項１】
パネルの前面側に配置される蓋の背面に軸を複数個立設し、パネルの背後に配置される部材の前面に設置されるゴム状のシートに穴付ボスを前記軸の位置と対応して設け、前記蓋の軸を前記穴付ボスの穴に押し込むことを特徴とする蓋の取付構造。    
【請求項２】
前記ゴム状のシートは前記部材により後方への変位が規制されている請求項１の蓋の取付構造。
【請求項３】
前記穴付ボスは前記パネルの穴の縁に押さえられて前方への変位が規制される請求項１または２の蓋の取付構造。
【発明の詳細な説明】
【技術分野】
【０００１】
この発明はディスク装置のディスク挿入口等を閉じる蓋の取付構造に関する。
【背景技術】
【０００２】
特開２００３−２８３１５２号公報に提案されたケース本体と蓋体との嵌合構造では、蓋体３０の周囲にＴ型係止部３１を複数個設け、ケース本体２０のＴ型係止部３１に対応する位置に横方向長穴２１を設け、蓋体３０を前記Ｔ型係止部３１の挿入案内部３３でケース本体２０を押し広げながら押し込むと、Ｔ型係止部３１が押し込まれた状態でケース本体２０が元に戻り、蓋体３０のＴ型係止部３１とケース本体２０の横方向長穴２１とが嵌合状態となって蓋体３０がケース本体２０に固定される。
【０００３】
このケース本体と蓋体との嵌合構造では、蓋体３０をケース本体２０から外すときに、ケース本体２０を外側に押し広げた状態に保って蓋体３０を引き抜く必要があり、蓋体３０の取外し作業が面倒となるという問題があった。
【０００４】
図３および図４によりディスク装置のディスク挿入口を閉じる蓋の取付構造の従来の例を説明する。図３は従来のディスク装置のディスク挿入口を閉じる蓋の取付構造の例を示す正面図、図４は図３におけるＡ−Ａ断面図である。
【０００５】
図に示す筐体５の正面にディスク挿入口６が設けられている。筐体５の正面側に配置された樹脂製のパネル８にはＬ字形の爪８ａが複数個突出形成されている。爪８ａの先端は山形となるように上下面に傾斜面が設けられている。
【０００６】
下蓋部材７ａと上蓋部材７ｂとが合わせられて接着され形成された樹脂製の蓋７には上記爪８ａと対応する位置にフック７ｃが形成されている。フック７ｃの先端には２つの傾斜面からなる山形形状部が設けられている。
【０００７】
蓋７の夫々フック７ｃの位置をパネル８の爪８ａと位置を合わせて、蓋７を押し込むと、フック７ｃの図４における下側の傾斜面が爪８ａの上側の傾斜面を押圧して、図４に示すように、フック７ｃと爪８ａが弾性変形してフック７ｃの上側の傾斜面が爪８ａの下側の傾斜面に嵌まり込む。この状態でフック７ｃと爪８ａは弾性変形しており、その弾力により蓋７がパネル８の爪８ａで保持される。この状態から蓋７を引張ると、フック７ｃと爪８ａが弾性変形してフック７ｃと爪８ａの嵌合が外れて蓋７を外すことができる。
【０００８】
上記図３および図４に示すディスク装置のディスク挿入口を閉じる蓋の取付構造では、Ｌ字形の爪８ａをパネル８に成形するためにスライド金型を用いる必要があり、金型が高価となるという問題があった。
【０００９】
また、嵌合状態でのフック７ｃと爪８ａとの弾力が小さすぎると、装置が振動したときに異音（ラトル）が発生し、弾力が大きすぎると、蓋７の取付・取外が困難となり、さらに、取付・取外による疲労でフック７ｃや爪８ａが破損する恐れがある。
【００１０】
このため、嵌合状態でのフック７ｃと爪８ａの弾性変形量を最適にしなければならないが、樹脂は金型構造や成形条件、または温度条件により寸法が変化しやすく、製造に手間が掛かった。
【００１１】
さらに、蓋７の取付・取外が多数回も繰り返されても、フック７ｃや爪８ａが疲労破壊しないように疲労に対する強度の高い樹脂材料を使用しなければならず、樹脂材料費が高価となるという問題があった。
【特許文献１】特開２００３−２８３１５２号公報、段落００２２〜段落００２６、図１、図２
【発明の開示】
【発明が解決しようとする課題】
【００１２】
この発明は上記した点に鑑みてなされたものであって、その目的とするところは、製造が容易であり、製造コストが安く、装置が振動しても異音が発生することのないディスク装置のディスク挿入口を閉じる蓋の取付構造を提供することにある。
【課題を解決するための手段】
【００１３】
この発明の蓋の取付構造は、パネルの前面側に配置される蓋の背面に軸を複数個立設し、パネルの背後に配置される部材の前面に設置されるゴム状のシートに穴付ボスを前記軸の位置と対応して設け、前記蓋の軸を前記穴付ボスの穴に押し込むものである。
【００１４】
また、前記蓋の取付構造において、前記ゴム状のシートは前記部材により後方への変位が規制されているものである。
【００１５】
また、前記各蓋の取付構造において、前記穴付ボスは前記パネルの穴の縁に押さえられて前方への変位が規制されるものである。
【発明の効果】
【００１６】
この発明のディスク装置のディスク挿入口を閉じる蓋の取付構造によれば、製造が容易であり、製造コストが安く、装置が振動しても異音が発生することがない。
【発明を実施するための最良の形態】
【００１７】
以下この発明を実施するための最良の形態を実施例に即して説明する。図１はこの発明の実施例であるディスク装置のディスク挿入口を閉じる蓋の取付構造を示す正面図、図２は図１におけるＡ−Ａ断面図である。
【００１８】
図に示す筐体５の正面にディスク挿入口６が設けられている。なお、ディスク挿入口は２個設けられているが、その１個は図１において蓋４に隠れ見えていない。筐体５の正面側に配置された樹脂製のパネル１には穴１ａが複数個形成されている。下蓋部材４ａと上蓋部材４ｂとが合わせられて接着され形成された樹脂製の蓋４には上記穴１ａと対応する位置に軸４ｃが形成されている。
【００１９】
パネル１の背後に配置されたプリント基板２の上にメンブレンシート３が図示していないねじ等でパネルの中心付近で固定されている。メンブレンシート３には図示していない椀形形状部があり、椀形形状部の上にパネル１に可動に支持された操作つまみが配置されている。
【００２０】
メンブレンシート３の椀形形状部の内面には導体膜が付設されており、操作つまみにより椀形形状部が押されると導体膜がプリント基板２の対向する導体パターンを導通させるすなわち、メンブレンシート３、プリント基板２および操作つまみはメンブレンスイッチを形成している。
【００２１】
本実施例ではこのメンブレンシート３が利用される。すなわち、メンブレンシート３の前記穴１ａと対応する位置に穴３ｂを有するボス３ａ設けられており、メンブレンシート３の下方向の動きはプリント基板２で規制される。
【００２２】
蓋４の軸４ｃをメンブレンシート３の穴３ｂに押し込むことにより軸４ｃがメンブレンシート３のボス３ａの弾力により保持される。蓋４を引っ張ると軸４ｃが穴３ｂから抜けて蓋４を取り外すことができる。このとき、メンブレンシート３のボス３ａの周囲が軸４ｃで引張られて持ち上がることを防止するために、穴１ａの縁でボス３ａを押えるようにしてもよい。このようにすることにより蓋４の取外しの作業性がよくなる。
【００２３】
蓋４の保持力はゴム弾性の大きさで決まるため、軸４ｃや穴３ｂの寸法精度を高めなくても容易に最適値に設定でき、蓋４の取り付け取り外しが容易でラトル音が発生することがない。また、ゴム弾性を利用するために疲労破壊が発生しない。
【００２４】
そして、メンブレンスイッチに必要なメンブレンシート３に穴つきボスを設けるだけでよく、さらに、蓋材料として安価な樹脂が利用できて、特に、寸法精度を高める必要もないので製造コストを安くできる。
【００２５】
実施例は以上のように構成されているが発明はこれに限られず、例えば、蓋に円筒形状の軸を設ける代わりに角柱の軸を設けても良い。このことにより、軸とメンブレンシートの穴との摩擦力を大きくして蓋の保持力を高めることができる。また、蓋４を２種の材料で形成する代わりに１種の材料で一体成形してもよい。
【図面の簡単な説明】
【００２６】
【図１】この発明の実施例であるディスク装置のディスク挿入口を閉じる蓋の取付構造を示す正面図である。
【図２】図１におけるＡ−Ａ断面図である。
【図３】従来のディスク装置のディスク挿入口を閉じる蓋の取付構造の例を示す正面図である。
【図４】図３におけるＡ−Ａ断面図である。
【符号の説明】
【００２７】
１  パネル、１ａ  穴
２  プリント基板
３  メンブレンシート、３ａ  ボス、３ｂ  穴
４  蓋、４ａ  下蓋部材、４ｂ  上蓋部材、４ｃ  軸
５  筐体
６  ディスク挿入口
７  蓋、７ａ  下蓋部材、７ｂ  上蓋部材、７ｃ  フック
８  パネル、８ａ  爪
【図１】
2009088075.tif 000003
【図２】
2009088075.tif 000004
【図３】
2009088075.tif 000005
【図４】
2009088075.tif 000006